Podtech/llm-jp-corpus-v4-ja_patent huggingface dataset:
(57)【要約】      （修正有）【課題】身につけている者が長時間、発生音を聞き続けることによる心理的苦痛を軽減できる迷子ベルトを提供する。【解決手段】ペットボトルに、目覚まし時計から取り出した、電子音を発生する回路１とスピーカー２とスヌーズスイッチ３を固定し、ペットボトルのキャップを閉めることで電子音が発生させ、スピーカー２を目覚まし時計の標準的なスピーカーである０．２５Ｗのものから、０．５Ｗのものに変えることにより、課題を解決する。【選択図】図１
0003144521.tif 000002
【実用新案登録請求の範囲】
【請求項１】
ペットボトルに、目覚まし時計から取り出した電子音を発生する回路１とスピーカー２とスヌーズスイッチ３を固定し、ペットボトルのキャップを閉めることで電子音が発生して、自分の所在場所を音で周囲に示す道具。
【考案の詳細な説明】
【技術分野】
【０００１】  本考案は、山林内や人混みの中で、自分の所在場所を音によって周囲に知らしめる道具に関する。
【背景技術】
【０００２】  従来の音声によって自分の所在場所を周囲に知らしめる道具は、ブザーなどに使用するビープ音を使用し、スピーカーも０．２５Ｗ程度のものを使っていた。
【考案の開示】
【考案が解決しようとする課題】
【０００３】  従来の音声によって自分の所在場所を周囲に知らしめる道具は、スピーカーの出力が小さいため、音が伝わる範囲が小さかった。音もブザー等に使われるビープ音を使うことが多く、身につけている者が長時間にわたって発生音を聞き続けることは心理的にみて苦痛を伴うことが多かった。
【課題を解決するための手段】
【０００４】  ペットボトルに、目覚まし時計から取り出した電子音を発生する回路１とスピーカー２とスヌーズスイッチ３を固定し、ペットボトルのキャップを閉めることで電子音を発生させる。スピーカー２を目覚まし時計の標準的なスピーカーである０．２５Ｗのものから、０．５Ｗのものに変える。目覚まし時計から取り出した電子音を発生する回路１を使う。
【考案の効果】
【０００５】  本考案はペットボトルと目覚まし時計の構成部品を使用するが、目覚まし時計に標準的に使用されているスピーカーを変えることで音量が大きくなり、山林内や人混みの中でもより広い範囲で自分の所在場所を周囲に知らしめることができるようになる。また、発生音による心理的な苦痛を軽減する。
【考案を実施するための最良の形態】
【０００６】  本考案にかかる迷子ベルは、図１に示すように、ペットボトルを上下に切り分けたうちのペットボトル底部４に穴を開けて、底部に固定したスピーカー２からの音声が外部に伝わるようにする。スピーカー２は、スピーカー固定用の緩衝材Ａを２個用いて上下から挟み、ペットボトル底部４に固定する。スピーカー２は回路１と電線１１で接続する。緩衝材Ａは、ペットボトル底部４にはまるように切断し、これと同心円になるように円形を切り出す。【０００７】  スピーカー２を挟んでいる緩衝材Ａのうち上の緩衝材の上面に目覚まし時計から取り出した電子音を発生する回路１を固定し、回路１に電力を供給するための電池ボックス５をネジＣでペットボトル上部６に固定している。回路１と電池ボックス５は電線９で接続する。【０００８】  回路１に電力を供給するためのスイッチ３をスイッチ固定用の緩衝材Ｂに取付け、ペットボトルの注ぎ口７に固定している。回路１とスイッチ３は、電線１０で接続する。【０００９】  スイッチ３を入力するにはスイッチ３を固定することが必要であるが、そのためには、ペットボトルのキャップ８をひねって安定させることにより、入力状態を保持する。これにより回路１に電力を供給し、発生した電子音をスピーカー２を通じて外部に伝える。【００１０】  ペットボトル底部４に開ける穴は、ペットボトル底部４の壁面に対して垂直に穿孔することにが望ましく、これにより音量をより大きくすることができる。
【図面の簡単な説明】
【００１１】
【図１】  本考案にかかる迷子ベルの断面図である。
【図２】  本考案にかかる迷子ベルをペットボトル底部から見た平面図である。
【符合の説明】
【００１２】  １  日覚まし時計から取り出した電子音を発生する回路
２  スピーカー
３  スイッチ
４  ペットボトル底部
５  電池ボックス
６  ペットボトル上部
７  ペットボトルの注ぎ口
８  ペットボトルのキャップ
９  回路１と電池ボックス５をつなぐ電線
１０  回路１とスイッチ３をつなぐ電線
１１  回路１とスピーカー２をつなぐ電線
Ａ  スピーカー２固定用の緩衝材
Ｂ  スイッチ３固定用の緩衝材
Ｃ  電池ボックス５固定用のネジ
【図１】
0003144521.tif 000003
【図２】
0003144521.tif 000004
(57)【要約】      （修正有）【課題】便座無しトイレを使用する不安感、使用時の疲労感を解消でき、尚且つ衛生面も改善できる携帯便座を提供する。【解決手段】合計３箇所のヒンジ部を設けることで、２方向に折りたたむことを可能とし、全開時の表面積を４分の１に縮小出来る。便座無し便器の上に簡単に便座を設置出来、体重をかけた場合の安定感、座心地、使用時の開口部の大きさ、それぞれが充分な軽量構造体で、旅行中の小型携帯バッグ内に収納出来るサイズの便座であれば、それをトイレに持ち込むことが出来る。【選択図】図１
0003144525.tif 000002
【実用新案登録請求の範囲】
【請求項１】
合計３箇所のヒンジ部を設けることで、２方向に折りたたむことを可能とし、全開時の表面積を４分の１に縮小出来る便座
【考案の詳細な説明】
【技術分野】
【０００１】    本考案は、便座に関するものであり、一体構造の形状に工夫を加えて、携帯性を可能にしたものである。
【背景技術】
【０００２】  海外に旅行する場合、それぞれの国によっては、便器に便座が無いものが多く存在する。特に女性の場合は、中腰の姿勢を保持しなければならないことになる。便器に体を接触させずに、しかも和式トイレ使用時のように完全に安定できる姿勢を取れない状況下では、辛いことであり、特に高齢者にとっては苦痛になる。
【考案の開示】
【考案が解決しようとする課題】
【０００３】  もし便器上に便座を仮設置できれば、容易な姿勢を保持できる。しかし従来の移動可能な便座は重量及び体積において、旅行用バッグに収納、携帯出来るものではない。したがって旅行者は不便、苦痛を感じていた。状況によってはトイレ使用不可能にも成り得る。
【課題を解決する手段】
【０００４】  便座無し便器の上に簡単に便座を設置出来、体重をかけた場合の安定感、座心地、使用時の開口部の大きさ、それぞれが充分な軽量構造体で、旅行中の小型携帯バッグ内に収納出来るサイズの便座であれば、それをトイレに持ち込むことが出来る。
【考案の効果】
【０００５】  本考案の携帯便座により、便座無しトイレを使用する不安感、使用時の疲労感を著しく解消でき、尚且つ衛生面も大きく改善できる。
【考案を実施するための最良の形態】
【０００６】  便座の材質は、軽量で、使用時の成人体重に耐えるものであること。サイズは便器の大きさや体格の基準によって決めればよい。
便座を完全に広げた状態から、２分の１に折りたたみ（図２）、この状態から更に２分の１に重ね折りたたんで（図３）、合計４分に１の携帯サイズに縮小する。したがって３箇所のヒンジ機能が必要になる（図１）。便座の材料によりヒンジ構造を決めればよい。折りたたまれた状態（携帯時）では、便器に接触した面が内側になるのが望ましい（衛生面上）。
【図面の簡単な説明】
【０００７】
【図１】  便器に便座を設置した状態。
【図２】  便座を最初に２分の１に折りたたんだ状態。
【図３】  図２の状態から更に２分の１に折りたたんだ状態。
【符号の説明】
【０００８】  Ｈ１  ヒンジ部
Ｈ２  ヒンジ部
Ｈ３  ヒンジ部
【図１】
0003144525.tif 000003
【図２】
0003144525.tif 000004
【図３】
0003144525.tif 000005
(57)【要約】      （修正有）【課題】スプレー式等の缶容器を確実且つ容易に保持することができる缶容器のホルダーを提供する。【解決手段】缶容器のホルダー１０は、保持対象となる缶容器の胴部の外周面の一部及び前記缶容器の底部の表面のそれぞれと接する胴部接触面２及び底部接触面３を備えており、胴部接触面２は曲率半径が３０ミリメートル乃至１００ミリメートルである曲面形状をなし、胴部接触面２と対向する位置には円環状の永久磁石４が配設され、永久磁石４の外径及び内径はそれぞれ５０ミリメートル乃至８０ミリメートル及び１０ミリメートル乃至４０ミリメートルであり、その厚みは８ミリメートル乃至１２ミリメートルである。【選択図】図１
0003144546.tif 000002
【実用新案登録請求の範囲】
【請求項１】
永久磁石を備え、当該永久磁石により筒状の缶容器を吸着して当該缶容器を保持する缶容器のホルダーにおいて、
前記缶容器の胴部の外周面の一部及び前記缶容器の底部の表面のそれぞれと接する胴部接触面及び底部接触面を備え、前記胴部接触面は曲率半径が３０ミリメートル乃至１００ミリメートルである曲面形状をなし、前記胴部接触面と対向する位置には円環状の前記永久磁石が配設されており、当該永久磁石の外径及び内径はそれぞれ５０ミリメートル乃至８０ミリメートル及び１０ミリメートル乃至４０ミリメートルであり、その厚みは８ミリメートル乃至１２ミリメートルであることを特徴とする、缶容器のホルダー。
【考案の詳細な説明】
【技術分野】
【０００１】
本考案は、スプレー式等の缶容器のホルダーに関する。
【背景技術】
【０００２】
従来から、ある対象物を保持するためのホルダーとして磁石の吸着力を利用したものが種々提案されている。例えば、特許文献１には、保持対象物の外形に沿った形状に形成された浴室・化粧室用器具を有する取付台の内側に永久磁石を配設して構成され、その永久磁石をスチール壁面に吸着させることにより当該保持対象物を当該浴室・化粧室用器具にて保持することが可能なホルダーが開示されている。
【特許文献１】実開平４−１３８４６６号公報
【考案の開示】
【考案が解決しようとする課題】
【０００３】
しかしながら、上記の従来のホルダーの場合、例えば作業場等で用いられるスプレー式の缶容器を保持対象物とすると、振動が激しい作業場においても確実に保持することができるようにするために、缶容器の外形を覆うような形状に浴室・化粧室用器具を形成する必要が生じる。その場合、当該浴室・化粧室用器具の形状が複雑になったり、保持された缶容器の取り出し作業が煩わしくなったり等の不都合が生じ得る。
【０００４】
本考案は斯かる事情に鑑みてなされたものであり、その主たる目的は、上記課題を解決することができる缶容器のホルダーを提供することにある。
【課題を解決するための手段】
【０００５】
上述した課題を解決するために、本考案の一の態様の缶容器のホルダーは、永久磁石を備え、当該永久磁石により筒状の缶容器を吸着して当該缶容器を保持する缶容器のホルダーにおいて、前記缶容器の胴部の外周面の一部及び前記缶容器の底部の表面のそれぞれと接する胴部接触面及び底部接触面を備え、前記胴部接触面は曲率半径が３０ミリメートル乃至１００ミリメートルである曲面形状をなし、前記胴部接触面と対向する位置には円環状の前記永久磁石が配設されており、当該永久磁石の外径及び内径はそれぞれ５０ミリメートル乃至８０ミリメートル及び１０ミリメートル乃至４０ミリメートルであり、その厚みは８ミリメートル乃至１２ミリメートルとなっている。
【考案の効果】
【０００６】
本考案に係る缶容器のホルダーによれば、種々のサイズの缶容器を確実且つ容易に保持することが可能になる。
【考案を実施するための最良の形態】
【０００７】
以下、本考案の好ましい実施の形態を、図面を参照しながら説明する。
【０００８】
図１は、本考案の実施の形態に係る缶容器のホルダーの構成を示す正面図である。また、図２は、図１のII-II線における断面図である。
図１に示すように、ホルダー１０は、ゴム材等で構成されるカバー１と、そのカバー１の内部に設けられた永久磁石４とを備えている。カバー１には、スプレー式等の筒状の缶容器の胴部の外周面の一部と接触する胴部接触面２と、缶容器の底部の表面と接触する底部接触面３とが形成されている。
【０００９】
この胴部接触面２は、図２にも示すように、その横断面がＵ字型の曲面形状をなしており、その曲率半径は３０ｍｍ乃至１００ｍｍの範囲内の値をとり得る。これにより、胴部接触面２は、種々のサイズの缶容器の胴部外周面の一部と接触可能となる。そのため、ホルダー１０を、種々のサイズの缶容器を保持可能なホルダーとして機能させることができる。また、胴部接触面２が上記のような曲面形状をなしていることにより、缶容器をホルダー１０に容易に保持させることができ、また、ホルダー１０に保持された缶容器を容易に取り出すことができる。
【００１０】
永久磁石４は、異方性フェライト磁石であって、円環状をなしており、胴部接触面２と対向する位置に配設されている。その外径は５０ｍｍ乃至８０ｍｍであり、その内径は１０ｍｍ乃至４０ｍｍメートルである。また、その厚みは８ｍｍ乃至１２ｍｍとなっている。これにより、缶容器を保持するために必要な吸着力を確保することができる。
なお、異方性フェライト磁石は比較的安価に入手することができるため、これを用いることにより、ホルダー１０のコストの低減化を図ることができる。
【００１１】
底部接触面３は、胴部接触面２の縦方向の一端下側位置であって且つ胴部接触面２の湾曲中心位置から、前方（図面手前方向）へ突設されている。ホルダー１０に缶容器を保持させる際に、当該缶容器の底面がこの底部接触面３上に載ることにより、缶容器を安定して保持することが可能になる。底部接触面３の突出長さの好適な値は、保持対象の缶容器のサイズに応じて変わり得るが、缶容器の底面の一部でも底部接触面３上に載れば安定性が増すため、１ｃｍ程度あれば足りる。
【００１２】
なお、本実施の形態では、１個の永久磁石が設けられているが、本発明はこのような態様に限定されるわけではなく、例えば円環状の永久磁石４の内側のスペースに円形の磁石をさらに設けるようにしてもよい。これにより、缶容器に対する吸着力を増大させることができる。
また、永久磁石の形状は、上記のような円環状及び円形に限定されるわけではなく、例えば棒状等であってもよい。
【図面の簡単な説明】
【００１３】
【図１】本考案の実施の形態に係る缶容器のホルダーの構成を示す正面図。
【図２】図１のII-II線における断面図。
【符号の説明】
【００１４】
１    カバー
２    胴部接触面
３    底部接触面
４    永久磁石
１０  ホルダー
【図１】
0003144546.tif 000003
【図２】
0003144546.tif 000004
(57)【要約】      （修正有） 【課題】水はけと抗菌作用のある、木製のまな板を提供する。【解決手段】木製のまな板１において、まな板１の表面の全面、あるいは、表面の一部に、うるしを塗布し、付着し、あるいは浸漬して、うるし層２を形成したことを特徴とする。うるしには撥水性があるため、まな板の表面の水はけがよくなり、従って、カビ等によりまな板が黒ずむことがなく、しかも、うるしには抗菌作用もあるため、大腸菌や雑菌等の繁殖が防げられ、衛生的である等有益な効果を奏する。【選択図】図２
0003144549.tif 000002
【実用新案登録請求の範囲】
【請求項１】
木製のまな板（１）において、該まな板（１）の表面の全面、あるいは表面の一部に、うるし層（２）を形成したことを特徴とする木製のまな板。
【考案の詳細な説明】
【技術分野】
【０００１】
この考案は、まな板に関するものであり、特に、木製のまな板に関するものである。
【背景技術】
【０００２】
従来より、まな板は、その上で、野菜、食肉、魚等の食物を切る際に使用するものであり、本来は木製が多く見られるが、近年、プラスチックのものも存在する。
【０００３】
しかしながら、やはり、プラスチックよりは、木製のまな板の方が、情緒や、風情深いものがあり、そのため、日本の台所では古くから使用されている。その理由は、木製のまな板は、木に粘りがあるため、刃こぼれし難く、また、刃こぼれした場合でも、木の中に閉じ込めて残るので、食べ物に混入し難い。この事は、まな板を削って、加工した際、加工機の刃がボロボロになってしまい、まな板の中に刃先が残っており、削る方の刃が、刃こぼれする事実より明らかであります。
【０００４】
しかし、このように刃こぼれのし難い木製のまな板は、一方、水はけ、あるいは、水きれが悪く、完全に乾燥する前に、再び、使用することが多く、水はけが悪いことにより、カビ等の雑菌が繁殖し、まな板の表面が黒ずむとか、最悪の場合には食中毒に到るという欠点があった。
【考案の開示】
【考案が解決しようとする課題】
【０００５】
そこで、本願出願人の解決しようとする問題点は、木製のまな板でありながら水はけをよくし、抗菌作用のある，まな板を開発・提供することにある。
【課題を解決するための手段】
【０００６】
このため、この考案は、うるしに付いた大腸菌が２４時間後にほぼ死滅するという優れたうるしの抗菌効果を利用して、木製のまな板において、該まな板の全面、あるいは一部に、撥水性、抗菌性のあるうるしを塗布し、付着し、あるいは、浸漬してうるし層を形成したことを特徴とする木製のまな板である。
【考案の効果】
【０００７】
この考案によると、まな板の全面あるいは一部にうるしを塗布し、付着し、あるいは、浸漬して、うるし層を形成することにより、うるしには撥水性があるため、まな板の表面の水はけがよくなり、従って、カビ等によりまな板が黒ずむことがなく、しかも、うるしには抗菌作用もあるため、大腸菌や雑菌等の繁殖が防げられ、衛生的である等極めて有益なる効果を奏するものである。
【考案を実施するための最良の形態】
【０００８】
次に、この考案の最適な実施例を詳述すると、木製のまな板において、該まな板の全面、あるいはまな板の一部に、うるしを塗布し、付着し、あるいは、浸漬して、うるし層を形成したことを特徴とする木製のまな板としたものである。
【実施例】
【０００９】
この考案の一実施例を図面に従って詳述すると、木製のまな板（１）において、該まな板（１）の表面の全面、あるいは、表面の一部に、うるしを塗布し、付着し、あるいは浸漬して、うるし層（２）を形成したことを特徴とする木製のまな板から構成されるものである。尚、うるし層（２）の形成手段については、上記の手段に限定されることはない。  
【００１０】
尚、うるし（漆）は、ウルシ科の落葉高木であり、中国・インドが原産であり、わが国では古くから植栽され、葉は大形の羽状複葉で枝先に互生する。この樹液は、乳状のであり、採取したままのものは生漆（きうるし）といい、成分の８０％はウルシオールといい、空気中では褐色に変色するものである。
【００１１】
尚、まな板（１）の表面の全面とは、表・裏面と側面をいい、また、まな板の表面の一部とは、例えば、使用する上面だけをいう。
【産業上の利用可能性】
【００１２】
この考案のまな板の製造技術を確立し、かつ、このまな板を実施・販売することにより産業上の利用可能性がある。
【図面の簡単な説明】
【００１３】
【図１】この考案の一実施例を示す斜視図である。
【図２】図１中Ａ−Ａ断面図である。
【図３】この考案の他の実施例を示す斜視図である。
【図４】図３中Ｂ−Ｂ断面図である。
【符号の説明】
【００１４】
１  木製のまな板
２  うるし層
【図１】
0003144549.tif 000003
【図２】
0003144549.tif 000004
【図３】
0003144549.tif 000005
【図４】
0003144549.tif 000006
(57)【要約】      （修正有） 【課題】カッティングボードを、正確に当分して切りわけることが簡単にでき、しかも、カッティングボードをそのまま大皿としても利用でき、かつ、盛った食物が落ちることのないカッティングボードを提供する。【解決手段】カッティングボードにおいて、ボード本体１に円形状の適宜の深さを有する凹部２を、表面、あるいは、表裏両面に穿設し、また、該凹部２の外周部であって、該凹部２の直径方向の相対向する箇所に、装飾兼用の目印部３を、ボード本体１と一体に形成することを特徴とする。【選択図】図２
0003144550.tif 000002
【実用新案登録請求の範囲】
【請求項１】
カッティングボードにおいて、ボード本体（１）に円形状の適宜の深さを有する凹部（２）を、表面、あるいは、表裏両面に穿設し、また、該凹部（２）の外周部であって、該凹部（２）の直径方向の相対向する箇所に、装飾兼用の目印部（３）を、ボード本体（１）と一体に形成することを特徴とするカッティングボード。
【考案の詳細な説明】
【技術分野】
【０００１】
この考案は、カッティングボードに関するものであり、特に、ピッザやホールケーキなどを均等にカットするためのものである。
【背景技術】
【０００２】
従来より、カッティングボードは、そのボード上で、食物をカットするためのものである。
【０００３】
そして、特に、カッティングボードで切りわけるピッザやホールケーキ（以下、載置物）は、直径方向に均等に切りわける必要がある。
【０００４】
しかしながら、カッティングボードは、あくまで、カッティングボードであり、載置物を切りわける際や、該カッティングボードから、載置物を個々の皿に移動させる際には、これらがボードからズレ落ちたり、それにより載置物の形状がくずれしたりすることもあった。
【０００５】
さらに、カッティングボードは、片面だけを長年にわたり使用すると、底面にカットした際の刃形が付いてしまうことがあり、これを避ける必要があった。
【考案の開示】
【考案が解決しようとする課題】
【０００６】
そこで、本願出願人の解決しようとする問題点は、カッティングボードを、正確に等分して切りわけることが簡単にでき、しかも、カッティングボードをそのまま大皿としても利用でき、かつ、盛った食物が落ちることのないカッティングボードを開発・提供することにある。
【課題を解決するための手段】
【０００７】
この考案は、木製のカッティングボードに、ピッザやケーキ等の載置物を均等に切りわけることができる切りわけ用の目印を形成し、また、カッティングボードがそのまま大皿として利用でき、さらに、切りわけ用の目印が皿の意匠の一部となるように構成したことを特徴とするカッティングボードである。
【考案の効果】
【０００８】
この考案によると、ボード本体（１）の表面、あるいは表裏面に適宜の深さを有する円形状の凹部（２）を穿設するため、該凹部に、ピッザやホールケーキ等の載置物（Ａ）を載置してカットしても、段部が形成されたことになり、ズリ落ちることがなく、また、これら凹部を裏面にも形成すると、ボード本体（１）の両面が使用でき、皿やお盆としても利用でき、さらに、該凹部（２）の外周部であって、該凹部（２）の直径方向の相対向する箇所に、装飾兼用の目印部（３）を、形成しているため、載置物（Ａ）を均等にカットできる等極めて有益なる効果を奏するものである。
【考案を実施するための最良の形態】
【０００９】
次に、この考案の最適な実施例を詳述すると、カッティングボードにおいて、ボード本体に円形状の適宜の深さを有する凹部を、表面、あるいは、表裏両面に穿設し、また、該凹部の外周部であって、該凹部の直径方向の相対向する箇所に、装飾兼用の目印部を、ボード本体と一体に形成することを特徴とするカッティングボードである。
【実施例】
【００１０】
この考案の一実施例を図面に従って詳述すると、カッティングボードにおいて、３５ｃｍ程度の直径を有する木製のボード本体（１）を設ける。そして、該ボード本体（１）には、２６ｃｍ程度の直径を有する円形状であって、かつ、３ｍｍ程度の深さを有する凹部（２）を、ボード本体（１）の表面、あるいは、表裏両面に穿設し、かつ、該凹部（２）の外周部であって、該凹部（２）の直径方向の相対向する箇所に、装飾兼用の目印部（３）を、ボード本体（１）と一体に形成することを特徴とするカッティングボードから構成されるものである。
【００１１】
尚、ボード本体（１）の凹部（２）の形状は、ピッザやホールケーキ等の載置物（Ａ）が載置することができるように円形状としている。そして、凹部から載置物（Ａ）がズリおちないよう適宜の深さを穿設している。
【００１２】
また、装飾兼用の目印部（３）は、図１においては、花びら状に形成しているが、図３に示すように角張った形状のものでもよく、その形状は特に限定しない。そして、ピッザやホールケーキ等の載置物（Ａ）を、直径方向にカットする際には、ボード本体（１）の装飾兼用の目印部（３）のそれぞれ相向する突起部（３ａ）（３ａ′）、あるいは、装飾兼用の目印部（３）のそれぞれ相向する陥没部（３ｂ）（３ｂ′）を目印としてカットするものである。
【００１３】
尚、カッティングボードのボード本体（１）には、凹部（２）は、片面だけ穿設してもよく、また、両面に穿設してもよいものである。
【産業上の利用可能性】
【００１４】
この考案のカッティングボードの技術を確立し、かつ、このカッティングボードを実施・販売することにより産業上の利用可能性がある。
【図面の簡単な説明】
【００１５】
【図１】この考案の一実施例を示す平面図である。
【図２】この考案の一実施例を示す一部欠截正面図である。
【図３】この考案の他の実施例を示す平面図である。
【符号の説明】
【００１６】
１  カッティングボード
２  円形状の凹部
３  装飾兼用の目印部
３ａ，３ａ′突起部
３ｂ，３ｂ′陥没部
Ａ  載置物
【図１】
0003144550.tif 000003
【図２】
0003144550.tif 000004
【図３】
0003144550.tif 000005
(57)【要約】      （修正有）【課題】容易に製造することができる玉網を提供する。【解決手段】玉網は、釣った魚を捕獲するために用いられる。環状フレーム１（完全な環、又は、環の一部を欠いた形状のもの）の下面２に周方向凹溝３が設けられている。環状フレーム１は、例えばアルミニウムから成る。凹溝３内に、網本体４の最上端縁５を保持した芯材６を、弾性部材（パッキン）７とともに差し込まれ、網本体４の最上端縁５が上記環状フレーム１に止着されている。【選択図】図２
0003144583.tif 000002
【実用新案登録請求の範囲】
【請求項１】
環状フレーム（１）の下面（２）に周方向凹溝（３）を設け、該凹溝（３）内に、網本体（４）の最上端縁（５）を保持した芯材（６）を、弾性部材（７）とともに差し込んで、網本体（４）の最上端縁（５）を上記環状フレーム（１）に止着したことを特徴とする玉網。
【請求項２】
上記凹溝（３）の内側面（８）の少なくとも一方に抜け止め用の小係止溝（９）を凹設し、かつ、上記弾性部材（７）には上記小係止溝（９）に係止可能な小係止突部（10）を形成した請求項１記載の玉網。
【請求項３】
上記弾性部材（７）の上面（11）にて上記芯材（６）及び上記網本体（４）の最上端縁（５）を保持するとともに、上記弾性部材（７）の内側面（８）にて上記網本体（４）の上端縁（12）を弾発的に上記凹溝（３）の内側面（８）に押圧して保持した請求項１又は２記載の玉網。
【考案の詳細な説明】
【技術分野】
【０００１】
本考案は、玉網に関する。
【背景技術】
【０００２】
従来、釣りに於てかかった魚をすくい上げるには、玉網が用いられている（例えば、特許文献１参照）。
【０００３】
しかし、網本体を環状フレームに糸にて取着するので、製作に手間がかかるという欠点があった。特に、鮎の友釣りに於ては、環状フレームの外側に糸が凹凸をなしていると、極細の道糸（水中系）がこすれて傷が付くことが問題となっていた。
【特許文献１】特開平６−３０６７８号公報
【考案の開示】
【考案が解決しようとする課題】
【０００４】
解決しようとする課題は、製作に手間がかかる点である。また、環状フレームの外側に糸が凹凸をなしていて、極細の道糸（水中系）がこすれて傷が付く点である。
【課題を解決するための手段】
【０００５】
そこで、本考案に係る玉網は、環状フレームの下面に周方向凹溝を設け、該凹溝内に、網本体の最上端縁を保持した芯材を、弾性部材とともに差し込んで、網本体の最上端縁を上記環状フレームに止着したものである。
また、上記凹溝の内側面の少なくとも一方に抜け止め用の小係止溝を凹設し、かつ、上記弾性部材には上記小係止溝に係止可能な小係止突部を形成したものである。
また、上記弾性部材の上面にて上記芯材及び上記網本体の最上端縁を保持するとともに、上記弾性部材の内側面にて上記網本体の上端縁を弾発的に上記凹溝の内側面に押圧して保持したものである。
【考案の効果】
【０００６】
本考案の玉網によれば、容易に製作することができる。また、鮎の友釣りに於いて、極細の道糸（水中系）がこすれて傷が付くことを防止することができる。
【考案を実施するための最良の形態】
【０００７】
図１・図２は、本考案の第１の実施の形態の使用状態を示す。この玉網は、釣った魚ｆを捕獲するために用いられる。環状フレーム１（完全な環、又は、環の一部を欠いた形状のもの）の下面２に周方向凹溝３が設けられている。環状フレーム１は、例えばアルミニウムから成る。凹溝３内に、網本体４の最上端縁５を保持した芯材６が、弾性部材（パッキン）７とともに差し込まれ、網本体４の最上端縁５が上記環状フレーム１に止着されている。
【０００８】
芯材６は、例えば、ナイロン、ポリエステル等のプラスチック、あるいは、真鍮等の金属から成る。弾性部材７は、例えば、エラストマー、ゴム、軟質プラスチック等から成る。網本体４は、例えば、ナイロン、ポリエステル等から成る。
【０００９】
凹溝３の内側面８の一方に抜け止め用の小係止溝（抜け止め用凹部）９が凹設されている。弾性部材７には小係止溝９に係止可能な小係止突部（抜け止め用係止片）10が形成されている。
【００１０】
（玉網の組立状態に於て、）弾性部材７の上面11にて芯材６及び網本体４の最上端縁５が保持されている。弾性部材７の内側面８にて網本体４の上端縁12が弾発的に凹溝３の内側面８に押圧されて保持されている。
【００１１】
図３は、第１の実施の形態の玉網の組立方法を示す。すなわち、環状フレーム１の凹溝３に、網本体４の最上端縁５を保持した芯材６を、弾性部材７とともに後から差し込む（押込んで止着する）。
【００１２】
図４は第２の実施の形態を示す。凹溝３の内側面８の両方に抜け止め用の小係止溝９，９が凹設されている。その他の構成は、第１の実施の形態と同様である。小係止突部10が内側にある場合にも、外側にある場合にも、弾性部材７を環状フレーム１に取着させることができるので、至便である。
【００１３】
なお、本考案は、設計変更可能であって、例えば、抜け止め用の小係止溝９は、断面形状が三角形状のもののみならず、断面形状が半円形や四角形状等のものであっても良い。
【００１４】
以上のように、本考案は、環状フレーム１の下面２に周方向凹溝３を設け、凹溝３内に、網本体４の最上端縁５を保持した芯材６を、弾性部材７とともに差し込んで、網本体４の最上端縁５を環状フレーム１に止着したので、容易に製作することができる。また、環状フレームの外面を凹凸がないなめらかな表面とすることができる。すなわち、極細の道糸（水中系）がこすれて傷が付くことを防止することができるとともに、道糸がスムーズに動く。
【００１５】
また、凹溝３の内側面８の少なくとも一方に抜け止め用の小係止溝９を凹設し、かつ、弾性部材７には小係止溝９に係止可能な小係止突部10を形成したので、弾性部材７が凹溝３から離脱することを確実に防止することができる。
【００１６】
また、弾性部材７の上面11にて芯材６及び網本体４の最上端縁５を保持するとともに、弾性部材７の内側面８にて網本体４の上端縁12を弾発的に凹溝３の内側面８に押圧して保持したので、網本体４を環状フレーム１に確実に止着することができる。すなわち、網本体４が凹溝３から離脱することを確実に防止することができる。
【図面の簡単な説明】
【００１７】
【図１】本考案の第１の実施の形態を示す斜視図である。
【図２】要部断面拡大図である。
【図３】組立方法を示す断面図である。
【図４】第２の実施の形態を示す要部断面拡大図である。
【符号の説明】
【００１８】
１  環状フレーム
２  下面
３  （周方向）凹溝
４  網本体
５  最上端縁
６  芯材
７  弾性部材（パッキン）
８  内側面
９  小係止溝（抜け止め用凹部）
10  小係止突部（抜け止め用係止片）
11  上面
12  上端縁
【図１】
0003144583.tif 000003
【図２】
0003144583.tif 000004
【図３】
0003144583.tif 000005
【図４】
0003144583.tif 000006
(57)【要約】      （修正有）【課題】上から壁紙を貼付ける等の処理を要することなく、そのままで内装用建材としても使用することができる木質セメント板を提供する。【解決手段】木質成分とセメント成分からなる木質セメント板１１の表面に、天然木の突板１２が接着されている、天然木突板付木質セメント板１０である。これにより、簡易な方法且つ低コストで、そのままで内装用建材として使用することができる、装飾性を合わせ持った木質セメント板を提供することができ、内装に要する作業時間も短縮することができる。また、低コストで天然木の木目を有する壁板を得ることが可能となる。【選択図】図１
0003144889.tif 000002
【実用新案登録請求の範囲】
【請求項１】
木質成分とセメント成分からなる木質セメント板の表面に、天然木の突板が接着されていることを特徴とする、
天然木突板付木質セメント板。
【考案の詳細な説明】
【技術分野】
【０００１】
本考案は、建築用資材である木質セメント板に関する。
【背景技術】
【０００２】
木質セメント板は、木毛を原料とする木毛セメント板と木片を原料とする木片セメント板との総称であり、いずれも、木毛又は木片に、セメント、水及び硬化剤を加え、加圧成形して作られる複合材である。木質材料とセメントを複合することによって、木材の建築用材としての欠点が改良され、また、同体積のセメント板よりも軽量となる特徴がある。特に、廃材を利用することができる利点があり、且つ、準不燃材料としての性能を有し、遮音性、吸音性、断熱性に優れているという特性を有する。このため、住宅の床、壁、屋根下地等の材料として活用されている。
【考案の開示】
【考案が解決しようとする課題】
【０００３】
しかし、木材の細片をセメントで固めて作られるこのような木質セメント板は、そのままでは建築物の美観を損なうため、人目に触れない建築用資材としてのみ利用され、人目に触れる内装部分においては、美観を付与するため、表面に壁紙を貼付ける等の処理を改めて行う必要があるため、手間と費用がかさむという理由で、内装部分には、殆ど、使用されていないのが現実である。
そこで、本考案は、内装用の建築用資材としても利用可能な、装飾性を合わせ持った、木質セメント板を提供することを目的とする。
【課題を解決するための手段】
【０００４】
本考案は、木質成分とセメント成分からなる木質セメント板の表面に、天然木の突板が接着されていることを特徴とする天然木突板付木質セメント板によって、前記課題を解決した。
【考案の効果】
【０００５】
本考案の天然木突板付木質セメント板は、表面に天然木の突板が接着されているため、そのままで内装用建材として使用することができる。従って、簡便、且つ、低コストで、天然木の木目を有する壁板を得ることができ、その結果、建築の内装に要する作業時間を短縮し、建築コストの削減に資するという効果を奏する。
【考案を実施するための最良の形態】
【０００６】
以下、図１，２を参照して、本考案の実施形態について説明する。
図１は、本考案の天然木突板付木質セメント板の斜視図、図２は、その断面図である。
【０００７】
本考案の天然木突板付木質セメント板は、以下のようにして製造される。
木質セメント板そのものは周知であるから、その製造方法についての説明は省略する。
まず、木質セメント板をサンダー（研磨機）にかける。本考案においては、木質セメント板として、普通木毛セメント板より密度及び強度が高い、硬質木毛セメント板を用いるのが好適である。
【０００８】
サンダーにより研磨した後、木毛セメント板の全面に、水性ビニール系のボンドをむら無く塗布し、その上に、突板を貼付ける。
通常、木毛セメント板の片側にのみ突板を接着するが、用途によっては、両側に接着してもよい。
【０００９】
なお、「突板」とは、一般に、高級木材の原木を薄くスライスした単板のことである。主に、原木を平らにスライスするスライサーを用いる方法と、原木を回転させながら「かつら剥き」のようにスライスするロータリーレースを用いる手法とがあり、スライス方法によって木目の出方が異なる。このような手法を活用することにより、希少性を有する、美しい木目を持つ高級木材を有効に活用することができ、且つ、無垢の高級材を用いるよりも遥かに低コストで、高級感のある仕上がりを実現することができる。
【００１０】
実施形態においては、主に杉材の、約２ｃｍ厚のひき板を、木目方向に平行に並べて集成接着した集成材を用いる（図３参照）。この集成材の接着面及び木目方向に直交するように刃を入れ（図３の矢視線）、平らに薄くスライスすると、約２ｃｍ間隔で、微妙に異なる木目がほぼ平行に走る突板を得ることができる。本考案の場合、スライスする際の厚みは、０．３〜０．５ｍｍであることが望ましい。これよりも薄くても厚くても、木質セメント板の表面への、一様な接着が難しくなる。
【００１１】
突板を接着した木毛セメント板を、一定枚数重ねてプレスし、養生させる。
所定の時間経過後、プレスを外し、サイズを統一し、突板の表面処理を行うことにより、本考案の天然木突板付木質セメント板が完成する。突板の表面処理としては、使用目的により、合成樹脂塗料や天然ウッドオイル等を塗布する。
【００１２】
以上のように、本考案の天然木突板付木質セメント板によれば、簡易な方法、且つ、低コストで、そのままで内装用建材として使用することができる、装飾性のある木質セメント板を提供することができる。また、低コストで、天然木の木目を有する美麗な壁板を得ることが可能となり、建築の内装に要する作業時間も短縮することができる。
【図面の簡単な説明】
【００１３】
【図１】は、本考案の天然木突板付木質セメント板の一実施形態の斜視図。
【図２】は、図１の２−２線での断面図。
【図３】は、本考案の天然木突板付木質セメント板の一実施形態に用いる突板の製造方法を示す図。
【符号の説明】
【００１４】
１０：天然木突板付木質セメント板
１１：木質セメント板
１２：突板
【図１】
0003144889.tif 000003
【図２】
0003144889.tif 000004
【図３】
0003144889.tif 000005
(57)【要約】      （修正有）【課題】ビニール袋の詰め替え用洗剤類を、効率的に無駄なく、最後の一滴まで移し変える固定クリップを提供する。【解決手段】ビニール袋の詰め替え用洗剤類をクリップで挟み込み１ａ１ｂ、多種多様な洗剤類のビニール袋と詰め替えるためのボトルの仕様に合わせて、適応する高さの支柱２にクリップを一体化して固定し、自立させる差込口３付き台座４に取り付け、手で持つことなく最後の一滴まで注ぎ入れることが可能となる。また、支柱２と一体化したクリップ１ａ１ｂと差込口３付き台座４が着脱を可能とし、クリップ上部に丸金具５、台座に丸穴を付けることにより、釣鐘や凸部を利用する吊り型で省スペース収納が可能となる。【選択図】図１
0003144838.tif 000002
【実用新案登録請求の範囲】
【請求項１】
ビニール仕様の詰め替え洗剤類を、詰め替え終了まで放置しておけるよう、一側辺を挟み押さえるためのクリップ。このクリップは、詰め替え洗剤類の多種多様な商品サイズに適用するため、挟み込む幅の広いものを採用し、支柱上部に取り付け、自立する形状になっているので、クリップで固定したパックをボトルの注ぎ口に差し込んだまま放置し、パックに残る少量の洗剤類まで流し入れることができる。
【考案の詳細な説明】
【技術分野】
【０００１】  洗剤等を楽に詰め替えるため、ビニール仕様の詰め替え洗剤類パックを、挟み固定するためのクリップを台座付の支柱に取り付け自立させる。
【技術背景】
【０００２】  袋を手で持っているだけの詰め替え作業、自分の代わりに持っていてくれる人がいたら、もっと上手に詰め替えられるのに…この時間で他のことができるのに…というのが、発想源。詰替え用パックの多くは袋状タイプで、キャップがないために、使用中のボトルに全量注ぎ入れなければならない。そのため、使用中のボトルの残量がある程度の量まで減らなければ、詰め替えることが出来ない。また、詰替え用パックの内容物を無駄なく注ぎ入れようとした場合には、かなりの時間を必要とする。しかし、詰め替え作業を行おうとする時、いつも時間的にゆとりがあるとは限らない。特に、忙しい時は、詰め替えるための時間がとても面倒に感じていた。
【考案の開示】
【考案が解決しようとする課題】
【０００３】  洗剤やシャンプー＆リンスなど、袋状タイプの詰め替え用洗剤類パックをボトルに入れる作業は、ある程度入ってしまえば、手で持っているだけの単純作業。それだけに、この時間の無駄を無くしたい。また、最後の一滴まで容器に移すことは、金銭的な面だけではなく、環境を考える上でも、重要視し解決したい。詰め替え洗剤類パックの商品仕様と注ぎ入れるボトルの仕様が、各々多種多様であるが、利便性と需要に適するため、出来る限り幅広く対応するようにしなければならない。
【課題を解決するための手段】
【０００４】  詰め替え用洗剤類を、ある程度まで入れた後、詰め替え洗剤類パックを挟んで固定した状態で放置し、袋から自然に流れ落ちてくる最後の一滴まで、ボトルに注ぎ入れる。
【考案の効果】
【０００５】  クリップで挟むだけの単純作業であり、挟み込んだ後は固定した状態で放置し、時間の無駄を省き、利便性、多種多様のパックに適用する需要において、すべてを改善できる。
【考案を実施するための最良の形態】
【０００６】  粘質を含む液体の詰め替えに使用するため、クリップの仕様は、濡れても腐食したり破損することのないものとし、挟んだものが外れにくいものにする。また、多種多様な詰め替え洗剤類のパックとボトルに対応できるよう、幅のあるクリップを支柱に取り付ける形態を採用する。
【実施例】
【０００７】  以下、添付図面に従って一実例を説明する。耐久性・耐水性プラスティック等適宜素材にて一体化形成された、１ａはクリップの挟み込み部分、１ｂはクリップに挟み込むために掴み開閉操作する。２は詰め替えるために、クリップ位置を多種多様な詰め替え洗剤類のパックとボトルに適応するための支柱で、３の支柱の差込口への着脱が可能。４は台座で、クリップ付の支柱を差込み固定し自立させることができる。５は、吊り型収納を可能とするため、丸金具を取り付けた。６は、５同様に吊り型収納のための丸穴。【０００８】１ａは、詰め替え洗剤類のパックを挟み込む部分で、ボトルとビニール袋の大きさに合わせて挟むことが可能。１ａと１ｂと２は一体化しているため、支柱からクリップが外れパックが倒れることがない。【０００９】耐久性・耐水性プラスティック等適宜素材のため、液ダレ等で汚れた場合の洗い流しも容易とする。５と６によって、釣金具や凸部への吊ることができるので、省スペースでの収納が可能である。
【図面の簡単な説明】
【００１０】
【図１】本考案の洗剤類パック詰め替え用固定クリップの一実施例を示す立面図である。
【図２】本考案の洗剤類パック詰め替え用固定クリップの一実施例を示す平面図である。
【図３】本考案の洗剤類パック詰め替え用固定クリップの収納図である。
【符号の説明】
【００１１】１ａ  クリップ挟み込み部分
１ｂ  クリップ開閉操作部分
２    支柱
３    支柱差込口
４    台座
５    吊り型収納用丸金具
６    吊り型収納用丸穴
【図１】
0003144838.tif 000003
【図２】
0003144838.tif 000004
【図３】
0003144838.tif 000005
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
ビニール仕様の詰め替え洗剤類を詰め替え終了まで放置しておくことを可能とする洗剤類パック詰め替え用固定クリップであって、台座と、台座に連結した支柱と支柱の上部に取り付けられたビニール仕様の詰め替え洗剤類の一辺を挟み押さえるためのクリップからなることを特徴とする、洗剤類パック詰め替え用固定クリップ。
(57)【要約】      （修正有）【課題】コーキングガンの脱着の際に少ない力で手元が汚れず、脱着が楽にできる汚れ止め脱着リングを提供する。【解決手段】コーキングガンキャップのノズルとシリンダー脱着側の中間の所に補助となるリングを固定する。これにより手元が汚れない為、脱着をする手も汚れない為周りを汚さず、作業時にウエスなどで拭きとったり、洗浄液で洗う必要もなく、手元が滑らないので脱着に力を使わないで良い。【選択図】図２
0003144835.tif 000002
【実用新案登録請求の範囲】
【請求項１】
既製のコーキングガン用キャップのシリンダー側から離れた所に凸凹のノンスリップの付いたリングを取り付ける事で，脱着の際に手助けになるパーツ。
【請求項２】
リングの厚みは、手に持って違和感の無い４ｍｍ〜１０ｍｍ。
リングの外径は使用するキャップの大きさも考慮しなくてはならず、外径は３０ｍｍ〜６０ｍｍ。
リングの内径はキャップの取り付け部の大きさがメーカーで異なり固定の手段は、リングの内穴にタップでねじ山を切りキャップのシリンダー側から４０ｍｍ〜５５ｍｍ離れた部分に、Ｗナットでねじ固定する。
キャップでネジ加工の無いものに対してはリングの内径サイズを固定箇所より、０、１ｍｍ〜０、３ｍｍ程度小さくして叩き込み固定もあり得る。
【考案の詳細な説明】
【技術分野】
【００１】  この考案は、コーキングガンの脱着の際に少ない力で手元が汚れず、脱着が楽に出来るリングに関するものである。
【背景の技術】
【００２】  従来のコーキングガンのキャップの場合脱着に際に手が汚れることが多い。
汚れていない所を持ってする作業は，手間と時間がかかる欠点がある。
【考案の開示】
【考案が解決しようとする課題】
【００３】  コーキング材をコーキングガンのシリンダー内に吸い込む時にシリンダーの吸い込み口が缶のコーキング材の中に入れるため、材料がシリンダーの周りに付着する。一様に缶の淵で擦ってコーキング材を落とすが、きれいに落とせないために、何度か吸い込ませるとシリンダーの吸い込み口からキャップのあたりまで汚れてくる。するとキャップを脱着の際に手元が汚れることにより滑るし労力も要する。
【問題を解決する手段】
【００４】  解決しようとする課題は，キャップのシリンダー側の汚れた所に、滑り止めの付いた凸凹のリングを取り付け、リングを持っての脱着。
【考案の効果】
【００５】  キャップに取り付けた凸凹の付いたリングを持っての作業のため、周囲も手元も汚れがなくなり、脱着の労力も少なくすむ。
【考案を実施するための最良の形態】
【００６】  コーキングガンのキャップのシリンダー側から離れた所に凸凹の付いたリングを固定すること。
【産業上の利用可能性】
【００７】  手元が汚れない為、脱着をする手も汚れない為周りを汚さず、作業時にウエスなどで拭きとったり、洗浄液で洗う必要もなく、手元が滑らないので脱着に力を使わないで良い。【００８】実施の形態
「図１」は従来のコーキングガン全体の側面図で▲３▼キャップをはずし▲１▼シリンダーをコーキング材の中に入れて吸い込ませて、キャップをはめて使用するために何度か吸い込むと、シリンダーの外側と▲３▼の▲２▼部分も汚れてきます。本来▲２▼を握って脱着をする所だがここが汚れると、手に材料が付き滑るので力が必要になる。
「図２」は▲３▼に▲６▼を▲２▼から離れたところに固定した状態ため全く、手が汚れなくなる
リングには小さな凸凹の滑り止めで、力が伝わりやすく、楽に脱着の作業が出来。
作業の終了時にキャップの清掃の際に手で持つ▲６▼が固定している為、確実に手に持って洗浄できる効果も大きい。
【図面の簡単な説明】
【００９】
【図１】従来のコーキングガンでこの考案の形態が実施されてない側面図である。
【図２】この考案のリングの形態を実施した斜め前からの斜面図である。
【図３】この考案のリングの形態を実施した側面図である。
【符号の説明】
▲１▼コーキングガンのシリンダー、▲２▼従来キャップの脱着の際に持ってた場所、▲３▼キャップ本体、▲４▼リングの固定をする所  ▲５▼コーキング施工ノズル、▲６▼凸凹の加工したリング
【図１】
0003144835.tif 000003
【図２】
0003144835.tif 000004
【図３】
0003144835.tif 000005
【手続補正書】
【提出日】平成20年3月29日(2008.3.29)
【手続補正１】
【補正対象書類名】実用新案登録請求の範囲
【補正対象項目名】全文
【補正方法】変更
【補正の内容】
【実用新案登録請求の範囲】
【請求項１】
コーキングガンのキャップでシリンダー側から離れたところに凸凹の滑り止めの付いたリングを取り付けることで、脱着の手助けになるコーキングガンのキャップに取り付ける補助部品となるリング。
(57)【要約】 【課題】  魚釣りに行く時は、多くの道具類を持って行く為、荷物も多くなり、一つ一つの道具を出すのに手間がかかる。作業時間を短縮し、危険な魚も安全に取り扱え手を汚さず、ゴミも片付けられるハサミ器具である。【解決手段】  先側が開閉する一対のハサミ部１、２、を有し、柄部１２、１３、元側にハサミ部を手動で開閉駆動する、ハサミ器具aにおいて一対のハサミ部６．６aを鋭く研ぎ出し、先端部内側に半円状の凹５．５aを作り、その後方に３．３a凹凸の歯を手前側に角度をつけ削り出し、鋭く研ぎ出す事で滑り止め部を形成されているのが良い。又、ハサミ部８、９より７．７a部の方が硬めのライン切りに的している事。         【選択図】  図１
0003144839.tif 000002
【実用新案登録請求の範囲】
【請求項１】
先側が開閉する様に設けられた一対のハサミ部を有し、はさみ本体に、魚バサミ・絞具・針はずし・糸切り・ワイヤー通し、又、切断・氷割り（アイスピック）ゴミ拾いなどの出来るハサミ器具である。                                                    
【請求項２】
請求項１記載のハサミ器具において、前記ハサミ部が、一対のハサミ部の先端を鋭く研ぎ込み、ハサミ中心部に凹凸の鋭い歯を手前に研いで形成されている特徴を持つハサミ器具。
【請求項３】
請求項１、請求項２、記載のハサミ器具において、ハサミ器具両方の先端の内側に小さな半円を形成されている事えを、特徴とするハサミ器具。
【考案の詳細な説明】
【技術分野】
【０００１】
本考案は、先側が開閉するように設けられた一対のハサミ部を有し、図１の８、９で糸切り３．３aで魚をはさみ４．４aでワイヤー通し５．５aで針はずし６．６aで魚絞め７．７aでワイヤー切りの出来る多目的ハサミである。
【背景技術】
【０００２】
魚釣りでは、ハサミ・ナイフ・針はずし・絞め具・プライヤー等必用な物を各１ずつ用意した。
【考案の開示】
【考案が解決しようとする課題】
【０００３】
釣りに行く時多くの道具を持って行く為、荷物も多くなり、一つ一つの道具を出し入れするのに手間もかかる。手を汚さず、作業時間を短縮し危険な毒を持つ魚もしっかりつかめて、安全に移動出来る。
【課題を解決するための手段】
【０００４】
各作業に一つずつ必要な道具を、一つにまとめたハサミ器具で、前途の欠点を解決しようとするものである。  
【考案の効果】
【０００５】
上述の様に、本考案は、ハサミ本体に、７.７a、８、９、切る、６．６a、刺す、５．５aはずす、４．４a抜く、３．３a挟む等多様な道具を一つにまとめたハサミである。釣り上げた鰻、穴子、うつぼ、鯰、又、危険な毒を持つ漁等から、釣り針を外す場合に用いて極めて都合が良い。特に毒を持つ魚を凹凸３．３aの歯で挟み魚に刺さり込む構造にした為、軽く挟んだだけで持ち運びが出来、クーラーボックスからの出し入れも手を汚さず安全に作業が出来るハサミ器具。
【考案を実施するための最良の形態】
【０００６】
ハサミ本体の大きさは、魚の大きさに合わせて大、中、小を作り、図１魚を絞める６．６aは歯先から中心部までは、幅を細くし刺さりやすくし、ハサミ部、１２、１３の手持ち部分を両方同じ形態にし、柄の上部１０、１１を平行にする事により、その部分を押し魚を絞める事が出来る。魚を挟み込む時は、中心部３．３aを鋭く研ぎ込み釣り針のかえしに似た構造にし、凸を５０度から６０度にかえしを６本〜８本鋭く研ぎ出す事で、かるく魚を挟んで持ち上げただけで３．３a歯先が魚に食い込んで、しっかりホールド出来、安全に楽に運ぶ事が出来る。
【実施例】
【０００７】
添付図面に従って一実施例を説明する。  ・図１は本考案の釣り用バサミの正面図（a）側面図（c）である。ハサミはステンレス、スチール等適宣素材にて一体化形成され１、２はピン９にて固定され１、２は、１２、１３にて開閉され、８、９にて糸切り７．７aでワイヤーを切断する。
【０００８】
図２は、ハサミ柄部、３．３aで魚の口又エラ部を挟みしっかりホールドして持ち運びが出来る。
【０００９】
図３に示す、１、２柄部を１２、１３を閉めて魚の急所に刺し入れ１０、１１をたたいて魚を締める。又、氷割りも出来る。                                        
【００１０】
図４に示す、この実施例は、魚の大きさ口の太さに合わせたハサミ具が大、中、小使いわける、必要がある。針を外す時５．５aの溝に針の（B）部分を強く挟み押し抜いて針を外す。
【００１１】
図５に示す、石鯛釣りのえさに使われるウニでワイヤー仕掛けの輪（H）を４にかけ刺し通す、又、４aはエサのウニに先に突き刺し４aに（H）の輪をかけ抜き通す事が出来る。
【図面の簡単な説明】
【００１２】
【図１】本考案の釣り用バサミの一実施例を示す正面図（a）側面（b）右側面（c）である。
【図２】魚を挟む時の図
【図３】魚を絞める。
【図４】釣り針を外す。
【図５】ワイヤー又ラインを通す。
【符号の説明】
【００１３】
１、２    ハサミ本体
３．３a    魚ハサミ部
４．４a    ワイヤー掛部
５．５a    針ハサミ部
６．６a    絞め部
７．７a    ワイヤーカット
８，９      糸切り
１２、１３  柄部  
（Ｈ）      仕掛け
（Ｂ）      釣り針
【図１】
0003144839.tif 000003
【図２】
0003144839.tif 000004
【図３】
0003144839.tif 000005
【図４】
0003144839.tif 000006
【図５】
0003144839.tif 000007
【手続補正書】
【提出日】平成20年7月3日(2008.7.3)
【手続補正１】
【補正対象書類名】実用新案登録請求の範囲
【補正対象項目名】請求項１
【補正方法】変更
【補正の内容】
【請求項１】
先側が開閉する様に設けられた一対のハサミ部を有するハサミ器具。